(57)【要約】【課題】  効率良く正イオンおよび負イオンを送出することが可能な空気調節装置を提供する。【解決手段】  空気清浄機１００は、ケーシング１１０と、シロッコファン１５１と、イオン発生装置１７０とを備える。ケーシング１１０は、吸込口と吹出口とを連通する通風路を内部に有しており、この通風路内にシロッコファン１５１が配設される。イオン発生装置１７０は、通風路内において、シロッコファン１５１の吹出側に配置され、空気中に正イオンまたは負イオンの少なくともいずれか一方を放出する放電面１７２を有している。イオン発生装置１７０は、その放電面１７２がシロッコファン１５１の外周面１５１ｂに対向するように配置されている。【選択図】        図１０
2005076906.tif 000002
【特許請求の範囲】
【請求項１】
吸込口と吹出口とを連通する通風路を有するケーシングと、
前記通風路内に配設されたシロッコファンと、
前記通風路内において、前記シロッコファンの吹出側に配置され、空気中に正イオンまたは負イオンの少なくともいずれか一方を放出する放電面を有するイオン発生装置とを備え、
前記放電面が前記シロッコファンの外周面に対向するように、前記イオン発生装置が配置されている、空気調節装置。
【請求項２】
前記放電面の法線と前記吹出口の開口面の法線とがなす角が鋭角となるように、前記イオン発生装置が配置されている、請求項１に記載の空気調節装置。
【請求項３】
前記通風路は、前記シロッコファンの吹出側において、前記シロッコファンの外周面と対面するように設けられた隔壁によって形成され、
前記放電面が前記隔壁の一部を構成するように、前記イオン発生装置が前記隔壁に取付けられている、請求項１または２に記載の空気調節装置。
【請求項４】
前記シロッコファンの吸込面と対向する位置に連通孔が設けられてなるベースパネルをさらに備え、前記イオン発生装置は、前記隔壁の前記ベースパネル寄りに取付けられている、請求項３に記載の空気調節装置。
【請求項５】
表面に吸込口と吹出口とを有するケーシングを含む装置本体を備え、前記装置本体が室内の壁面に取付けられてなる壁掛け式の空気調節装置であって、
前記吹出口は、前記ケーシングの上面に設けられ、当該吹出口の開口面と交差するように延在するルーバを含み、
前記吹出口から吹き出された空気が前記壁面から遠ざかる方向に進むように、前記ルーバが前記開口面に対して傾斜して設けられている、空気調節装置。
【発明の詳細な説明】
【技術分野】
【０００１】
本発明は、空気調節装置に関し、特に、室内の空気を清浄化する空気清浄機能を備えた空気調節装置に関する。
【背景技術】
【０００２】
室内の空気の温度や湿度、汚染度をコントロールする装置として空気調節装置が知られている。この空気調節装置においては、室内の空気を装置内部に取り込み、取り込まれた空気の物性を変化させて所望の状態の空気とした後、装置外部へと処理後の空気を吹き出す仕組みとなっている。特に、近年の住環境の変化に伴い、室内の空気の汚染度を改善する空気清浄機能を備えた空気調節装置（以下、空気清浄機と称する。）が注目を浴びている。
【０００３】
従来より、集塵機能や脱臭機能を備えた空気清浄機は広く普及している。しかし近年、これらの機能に加えて人体に有害な浮遊細菌を制菌または殺菌する機能を併せ備えた空気清浄機が急速に普及しつつある（たとえば、特開２００２−１０２３２７号公報（特許文献１）、特開２００３−１２０９５１号公報（特許文献２）参照）。ここで、「制菌」とは、繊維状のフィルタに付着した菌の増殖を抑制することをいう。また、「殺菌」とは、微生物を死滅させ、その絶対数を減少させることをいう。
【０００４】
浮遊細菌を制菌または殺菌する機能を併せ備えた空気清浄機にあっては、集塵機能、脱臭機能および制菌機能は、筐体内部に配置された各種フィルタによって発揮される。また、殺菌機能は、正イオンと負イオンとを発生させるイオン発生装置を筐体内部の通風路内に設置することによって発揮される。なお、このイオン発生装置を用いて空気中の負イオン濃度を増加させた場合には、リラクゼーション効果を得ることも可能である。
【０００５】
この種の空気清浄機にあっては、装置構成の観点から、送風ファンとして一般的にシロッコファンが用いられる。このシロッコファンは、空気清浄機の前面側から空気を吸い込み、空気清浄機の上面側から空気を吹き出すように、空気清浄機内部の通風路に配設される。
【０００６】
図１２は、従来の空気清浄機を前面側から見た概略斜視図である。また、図１３は、図１２に示す従来の空気清浄機のＸＩＩＩ−ＸＩＩＩ線に沿った概略縦断面図である。なお、図示する従来の空気清浄機２００は、床面上や卓上に設置される据置き式の空気清浄機である。
【０００７】
図１２および図１３に示すように、空気清浄機２００は、ケーシング２１０と、ケーシング２１０の前面２１１に取り付けられた前面パネル２３０とを備える。この空気清浄機２００の主要部は、ケーシング２１０内に納められている。前面パネル２３０は、ケーシング２１０の前面２１１に位置する吸込口２２１を覆うように取り付けられている。ケーシング２１０の上面２１２には、吹出口２２５が設けられている。吹出口２２５には、空気清浄機２００から送風される空気の風向きを整えるルーバ２１６が設けられている。なお、ケーシング２１０の上面２１２には、空気清浄機２００の動作を切換えるための操作部２８１が設けられており、前面パネル２３０の上部には、動作状態等を表示する表示部２８２が設けられている。
【０００８】
図１３に示すように、ケーシング２１０内部には、ベースパネル２１５が位置している。ケーシング２１０の内部空間は、このベースパネル２１５によって前方空間２２２と後方空間２２４とに分割されている。ベースパネル２１５には、前方空間２２２と後方空間２２４とを連通する連通孔２２３が設けられている。
【０００９】
吸込口２２１の後方でかつベースパネル２１５の前方に位置する前方空間２２２には、各種フィルタが積層保持されたフィルタ組品２４０が配置されている。ベースパネル２１５の後方でかつケーシング２１０の背面２１３の前方に位置する後方空間２２４には、シロッコファン２５１とこのシロッコファン２５１を駆動するモータ２５２が配置されている。シロッコファン２５１は、ビス２５３によってモータ２５２の回転軸に固定されている。モータ２５２は、モータアングル２５４によって保持されており、モータアングル２５４は、ビス２５５によってベースパネル２１５に固定されている。
【００１０】
上記構成の空気清浄機２００にあっては、シロッコファン２５１がモータ２５２によって回転駆動されることにより、ケーシング２１０と前面パネル２３０との間の隙間から吸込口２２１を介してケーシング２１０内部の前方空間２２２に空気が取り込まれる。取り込まれた空気は、フィルタ組品２４０を通過する際に塵や埃、臭い等が除去され、ベースパネル２１５に設けられた連通孔２２３を介して後方空間２２４へと導入される。後方空間２２４内に流入した空気は、シロッコファン２５１によって吹出口２２５から室内へと上方に向かって略垂直に吹き出される。これにより、室内の空気の清浄化が行なわれる。なお、図１３においては、空気の流れを矢印にて示している。
【００１１】
上述の構成の空気清浄機２００において、イオン発生装置は、通常シロッコファンの吹出側に配置される。すなわち、イオン発生装置は、ケーシング内部の後部空間に配置され、後部空間を通過する空気に向かって負イオンまたは正イオンを放出する。
【００１２】
図１４は、図１２に示す空気清浄機におけるイオン発生装置の設置位置を示す図であり、空気清浄機内部を後ろ側から見た部分斜視図である。
【００１３】
図１３に示すように、ベースパネル２１５の略中央部には、前方空間２２２と後方空間２２４とを連通する連通孔２２３が位置しており、この連通孔２２３に対向するようにシロッコファン２５１が後部空間２２４内に配設されている。図１４に示すように、イオン発生装置２７０は、ベースパネル２１５に埋設されており、その放電面２が後部空間２２４側に面するようにベースパネル２１５に取付けられている。
【００１４】
ここで、イオン発生装置から発生する正イオンおよび負イオンには「寿命」がある。ここで、「寿命」とは、イオン発生から消滅するまでの時間をいう。したがって、空気清浄機外部の空気中のイオン濃度を効率良く増加させるためには、イオン発生装置により発生させた正イオンおよび負イオンを、発生後すばやく空気清浄機の外部に、空気とともに吹き出させることが好ましい。
【００１５】
上述のように、従来の空気清浄機においては、イオン発生装置はベースパネルに埋設されていたが、必ずしもイオン発生装置から放出される正イオンおよび負イオンが効率良く空気清浄機外部に送出されているとは言えなかった。
【００１６】
また、上述のように、従来の空気清浄機においては、装置本体の上面に吹出口が設けられており、吹き出された空気は装置本体の上方に向かって送出されるようにルーバが鉛直方向に延在して配置されていた。しかしながら、このように構成された空気清浄機を壁掛け式の空気清浄機として壁面に設置した場合には、長期間の使用により、空気清浄機の吹出口近傍の壁面に埃が付着するという問題があった。
【特許文献１】特開２００２−１０２３２７号公報
【特許文献２】特開２００３−１２０９５１号公報
【発明の開示】
【発明が解決しようとする課題】
【００１７】
本発明が解決しようとする課題は、イオン発生装置を備えた空気調節装置において、発生させた正イオンおよび負イオンが必ずしも効率良く空気調節装置外部に吹き出されていない点にある。したがって、本発明は、効率良く正イオンおよび負イオンを送出することが可能な空気調節装置を提供することを目的とする。
【００１８】
また、本発明が解決しようとする他の課題は、壁掛け式の空気調節装置において、長期間の使用により吹出口近傍の壁面に埃が付着する点にある。したがって、本発明は、長期間使用しても吹出口近傍の壁面に埃が付着しない壁掛け式の空気調節装置を提供することを目的とする。
【課題を解決するための手段】
【００１９】
本発明の第１の局面に基づく空気調節装置は、ケーシングと、シロッコファンと、イオン発生装置とを備える。ケーシングは、吸込口と吹出口とを連通する通風路を内部に有しており、この通風路内にシロッコファンは配設されている。イオン発生装置は、通風路内において、シロッコファンの吹出側に配置され、空気中に正イオンまたは負イオンの少なくともいずれか一方を放出する放電面を有している。イオン発生装置は、その放電面がシロッコファンの外周面に対向するように配置されている。
【００２０】
上記本発明の第１の局面に基づく空気調節装置にあっては、イオン発生装置は、放電面の法線と吹出口の開口面の法線とがなす角が鋭角となるように配置されていることが好ましい。
【００２１】
上記本発明の第１の局面に基づく空気調節装置にあっては、通風路は、シロッコファンの吹出側において、シロッコファンの外周面と対面するように設けられた隔壁によって形成されていることが好ましい。この場合、イオン発生装置の放電面が上記隔壁の一部を構成するように、上記隔壁にイオン発生装置が取付けられていることが好ましい。
【００２２】
上記本発明の第１の局面に基づく空気調節装置にあっては、好ましくは、シロッコファンの吸込面と対向する位置に連通孔が設けられてなるベースパネルをさらに備え、イオン発生装置が上記隔壁のベースパネル寄りに取付けられる。
【００２３】
本発明の第２の局面に基づく空気調節装置は、表面に吸込口と吹出口とを有する装置本体を備え、この装置本体が室内の壁面に取付けられてなる壁掛け式の空気調節装置である。吹出口は、装置本体の上面に設けられており、この吹出口の開口面と交差するように延在するルーバを含んでいる。上記ルーバは、吹出口から吹き出された空気が壁面から遠ざかる方向に進むように、上記開口面に対して傾斜して設けられている。
【発明の効果】
【００２４】
本発明の第１の局面に基づく空気調節装置とすることにより、効率良く正イオンおよび負イオンを送出することが可能になり、室内のイオン濃度を高濃度に維持することが可能になる。
【００２５】
また、本発明の第２の局面に基づく空気調節装置とすることにより、長期間使用しても吹出口近傍の壁面に埃が付着しない壁掛け式の空気調節装置とすることができる。
【発明を実施するための最良の形態】
【００２６】
以下、本発明の一実施の形態について、図を参照して説明する。なお、本実施の形態においては、空気調節装置として空気清浄機能のみを有する空気清浄機を例示して説明を行なう。
【００２７】
（空気清浄機の外観構造）
図１は、本発明の実施の形態１における空気清浄機を前面側から見た概略斜視図であり、図２は、背面側から見た概略斜視図である。また、図３は、図１に示す空気清浄機のＩＩＩ−ＩＩＩ線に沿った概略縦断面図である。
【００２８】
まず、図１ないし図３を参照して、本実施の形態における空気清浄機の外観構造について説明する。図１および図３に示すように、本実施の形態における空気清浄機１００は、ケーシング１１０と、前面パネル１３０とを備えている。ケーシング１１０は、横長の前面開口の箱体からなり、内部に空気清浄機１００の主要部が納められている。図３に示すように、前面パネル１３０は、ケーシング１１０の前面１１１に設けられた吸込口１２１を覆うように、ケーシング１１０の前面１１１に着脱自在に取り付けられている。前面パネル１３０は、装置の動作時において、後述するシロッコファンやモータにて発生する騒音が外部に漏れ出さないようにするための遮音部材として組付けられるものであり、同時に装置本体の外観上の美観を確保するものでもある。
【００２９】
図１ないし図３に示すように、ケーシング１１０の上面１１２には、吹出口１２５が設けられている。空気清浄機１００にて清浄化された空気は、この吹出口１２５から室内へと送風される。また、図１に示すように、ケーシング１１０の側面１１４には、空気清浄機１００の動作を切換えるための操作部１８１が配置されており、前面パネル１３０の所定位置には、空気清浄機１００の動作状態等を表示するための表示部１８２が配置されている。
【００３０】
図２に示すように、ケーシング１１０の背面１１３の所定位置からは、空気清浄機１００を動作させるために必要な電力の供給を受けるための電源コード１９１が引き出されており、その先端には電源プラグ１９２が形成されている。また、ケーシング１１０の背面１１３には、整列して設けられた複数の突条部１１７が位置している。この突条部１１７は、電源コード１９１が巻き付けられる部位であり、電源コード１９１の長さを調節するための機構である。
【００３１】
（空気清浄機の内部構造）
次に、図３を参照して、本実施の形態における空気清浄機の内部構造について説明する。図３に示すように、ケーシング１１０の内部には、ベースパネル１１５が位置している。ケーシング１１０の内部空間は、このベースパネル１１５によって前方空間１２２と後方空間１２４とに分割されている。ベースパネル１１５には、前方空間１２２と後方空間１２４とを連通する連通孔１２３が設けられている。なお、ベースパネル１１５は、装置内部に取り込まれた空気の流路である通風路を形成するために、ケーシング１１０内に設けられる板状部材である。
【００３２】
吸込口１２１の後方でかつベースパネル１１５の前方に位置する前方空間１２２には、各種のフィルタが積層保持されたフィルタ組品１４０が配置されている。ベースパネル１１５の後方でかつケーシング１１０の背面１１３の前方に位置する後方空間１２４には、シロッコファン１５１と、このシロッコファン１５１を駆動する駆動源としてのモータ１５２が配置されている。シロッコファン１５１は、モータ１５２の回転軸にビス等によって固定されている。モータ１５２はアングル等によってケーシング１１０の背面１１３に固定されている。なお、上述の連通孔１２３は、ベースパネル１１５のシロッコファン１５１の吸込面１５１ａと対向する部分に位置している。
【００３３】
ケーシング１１０の上面でかつ後方空間１２４の上部に対応する位置には、吹出口１２５が位置しており、この吹出口１２５には、空気清浄機１００から送風される空気の風向きを整えるルーバ１１６が設けられている。なお、図３においては図示を省略しているが、ケーシング１１０の後方空間１２４内には、正イオンまたは負イオンの少なくともいずれか一方を後方空間１２４内を通過する空気に対して放出するイオン発生装置１７０が配置されている（図９および図１０参照）。このイオン発生装置１７０については、後述することとする。
【００３４】
（フィルタの構成）
図４は、本実施の形態における空気清浄機のフィルタの構成を示す模式図である。図４に示すように、各種フィルタは、前後方向に積層して配置された状態でフィルタ保持枠１４４によって保持され、空気清浄機１００の前方空間１２２に配置される。本実施の形態における空気清浄機１００にあっては、上記各種フィルタは、上流から順に、プレフィルタ１４１、脱臭フィルタ１４２、集塵フィルタ１４３の順で配置されている。
【００３５】
ここで、プレフィルタ１４１は、合成繊維等の細線を平織りすることによって形成されたフィルタであり、綿埃などの比較的大きい埃を捕獲する。脱臭フィルタ１４２は、活性炭などの脱臭機能を有する物質が内包されたフィルタであり、臭気成分を吸着することにより脱臭機能を発揮する。集塵フィルタ１４３には、たとえばＨＥＰＡ（High Efficiency Particulate Air）フィルタが用いられ、空気中に含まれる細かい粒径の微粒子を捕獲する。なお、この集塵フィルタには、制菌機能を付加することも可能であり、このように構成した場合には、集塵フィルタ１４３に付着した細菌の繁殖を抑えることが可能である。
【００３６】
（空気清浄機の動作）
次に、図３を参照して、上記構成の空気清浄機の動作について説明する。上記構成の空気清浄機１００にあっては、シロッコファン１５１がモータ１５２によって回転駆動されることにより、ケーシング１１０と前面パネル１３０との間の隙間から吸込口１２１を介してケーシング１１０内部の前方空間１２２に空気が取り込まれる。取り込まれた空気は、フィルタ組品１４０を通過する際に塵や埃、臭い等が除去され、ベースパネル１１５に設けられた連通孔１２３を介して後方空間１２４内へと導入される。後方空間１２４内に流入した空気には、イオン発生装置１７０によって所定濃度の正イオンおよび負イオンが付加され、シロッコファン１５１によって吹出口１２５から室内へと送風される。これにより、室内の空気の清浄化が行なわれる。なお、図３においては、空気の流れを矢印にて示している。
【００３７】
（空気清浄機の設置）
図５は、本実施の形態における空気清浄機を室内の壁面に設置した場合を示す模式図であり、図６は、室内の床面に設置した場合を示す模式図である。図５および図６に示すように、本実施の形態における空気清浄機１００は、室内の壁面３００にアングル等を用いて取り付けるいわゆる「壁掛け式」の空気清浄機と、床面４００上や卓上にスタンド１９３を用いて設置するいわゆる「据置き式」の空気清浄機の兼用タイプである。したがって、ユーザの用途や室内の設置スペース等にあわせて適宜設置場所を変更することが可能である。
【００３８】
（イオン発生装置）
図７は、本実施の形態における空気清浄機に搭載されるイオン発生装置の概略斜視図である。また、図８は、図７に示すイオン発生装置のイオン発生素子の概略斜視図である。これらの図を参照して、本実施の形態におけるおける空気清浄機に搭載されるイオン発生装置の構造について説明する。
【００３９】
図７に示すように、イオン発生装置１７０は、ケース本体１７１と、ケース本体１７１の前面に嵌め込まれたイオン発生素子１７６とを有する。ケース本体１７１内部には、イオン発生素子１７６を駆動するための駆動回路や昇圧コイル等が組み込まれている。正イオンや負イオンは、イオン発生素子１７６の露出面である放電面１７２にて発生する。
【００４０】
図８に示すように、イオン発生素子１７６は、第１の誘電体１７４と第２の誘電体１７５との積層体として構成される。第１の誘電体１７４の上面には、メッシュ状の第１電極１７３が形成されている。第２の誘電体１７５の上面には、板状の第２電極（図示せず）が形成されている。
【００４１】
このように構成されたイオン発生素子１７６の第１電極１７３と第２電極との間に駆動回路によって交流高電圧を印加することにより、メッシュ状の第１電極１７３の表面において電界集中が生じ、この部分においてコロナ放電が発生する。このコロナ放電が生じる領域に空気を送り込むことにより、イオンを次々と発生させることが可能になる。
【００４２】
なお、上記電極間に交流電圧を印加することにより、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）を主体としたイオンを生成する。本空気清浄機においては、これらをシロッコファンにより室内に放出させる。
【００４３】
これらＨ+（Ｈ2Ｏ）m及びＯ2-（Ｈ2Ｏ）nは、浮遊菌の表面に付着し、下記式（１）〜式（３）に示すように化学反応して、活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中のカビや微生物等の浮遊菌を取り囲んで殺菌することができる。
【００４４】
【化１】
2005076906.tif 000003
【００４５】
これにより、活性種の分解作用によって浮遊菌が破壊される。従って、効率的に空気中の浮遊菌を殺菌することができる。本空気清浄機においては、以上のメカニズムにより、浮遊菌等の殺菌効果を得ることができる。
【００４６】
また、上記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００４７】
その他、正イオンと負イオンには、コクサッキーウィルス、ポリオウィルス、などのウィルス類も不活化する働きがあり、これらウィルスの混入による汚染が防止できる。また、正イオンと負イオンには、臭いのもととなる分子を分解する働きがあることも確かめられており、空間の脱臭にも利用できる。
【００４８】
（イオン発生装置の設置位置）
図９は、本実施の形態における空気調節装置の内部構造を示す図であり、ベースパネルを取り外した状態における正面図である。また、図１０は、イオン発生装置の設置位置を示す図であり、空気清浄機内部を前側から見た部分斜視図である。
【００４９】
図９に示すように、ケーシング１１０の背面１１３にはモータ１５２が取付けられており、このモータ１５２の回転軸にシロッコファン１５１が固定されている。ケーシング１１０の背面１１３には、シロッコファン１５１を取り囲むように、前方に向かって隔壁１２６が突設されている。このため、シロッコファン１５１の外周面１５１ｂは、隔壁１２６に対面していることになる。
【００５０】
図９および図１０に示すように、隔壁１２６の吹出口１２５近傍には、イオン発生装置１７０が取付けられている。イオン発生装置１７０は、その放電面１７２が隔壁１２６の一部を構成するように、隔壁１２６の切欠き部１２７をして取付けられている。上述の通り、イオン発生装置１７０はユニット化されているため、イオン発生装置１７０のケース本体１７１を隔壁１２６に取付けることにより、イオン発生装置１７０がケーシング１１０内部に固定される。このため、イオン発生装置１７０の放電面１７２は、シロッコファン１５１の外周面１５１ｂに対向することになる。
【００５１】
このように構成することにより、シロッコファン１５１から吹き出された空気は、直接イオン発生装置１７０の放電面１７２に当たるようになる。このため、効率良く気流にイオン発生装置１７０から放出される正イオンまたは負イオンを含ませることが可能になる。
【００５２】
また、図９に示すように、本実施の形態における空気清浄機１００にあっては、イオン発生装置１７０の放電面１７２の法線１７２ａと吹出口１２５の開口面の法線１２５ａとがなす角θが鋭角となるように、イオン発生装置１７０が傾斜して配置されている。これに伴い、隔壁１２６の上部も、吹出口１２５側に向かうにつれシロッコファン１５１側に向かって傾斜している。
【００５３】
このように構成することにより、通風路内の空気の流れを阻害することなく、確実にイオン発生装置１７０の放電面１７２に吹出口１２５に向かって進む空気を当てることができるようになる。このため、効率良く気流にイオン発生装置１７０から放出される正イオンまたは負イオンを含ませることが可能になる。
【００５４】
なお、イオン発生装置１７０の放電面１７２の法線１７２ａと吹出口１２５の開口面の法線１２５ａとがなす角θは、好ましくは８０°以上９０°未満とし、より好ましくは８５°程度とすることが望ましい。これは、角θをあまりに小さく構成した場合に、イオン発生装置１７０の放電面１７２が気流の流れに対して抗して位置するようになってしまうためである。このような状況となった場合は、放電面１７２自体が通過する空気の流動抵抗となり、スムーズな気流の流れが阻害されてしまう。
【００５５】
さらに、図１０に示すように、本実施の形態における空気清浄機１００にあっては、イオン発生装置１７０は、隔壁１２６のベースパネル１１５寄りに配置されている。ここで、ベースパネル１１５寄りとは、イオン発生装置１７０の放電面１７２の中央部が、隔壁１２６のベースパネル１１５側端縁とケーシング１１０の背面１１３側端縁の中間位置よりも少なくともベースパネル１１５側に位置していることを言い、隔壁１２６のシロッコファン１５１の吸込面１５１ａ側の部分を指す。
【００５６】
ベースパネル１１５と隔壁１２６とを用いて通風路を形成した場合には、隔壁１２６のベースパネル１１５寄りの表面において風量が多くなる傾向にある。このため、隔壁１２６のベースパネル１１５寄りにイオン発生装置１７０を配置することにより、効率良く気流にイオン発生装置１７０から放出される正イオンまたは負イオンを含ませることが可能になる。
【００５７】
発明者は、イオン発生装置１７０を隔壁１２６のベースパネル１１５寄り（図１０に示す領域Ａ）に設けた場合と、ケーシング１１０の背面１１３寄り（図１０に示す領域Ｂ）に設けた場合とで、吹出口１２５から吹き出される空気に含まれるイオン濃度にどの程度の差が生じるかを検証した。なお、イオン濃度は吹出口１２５から１０ｃｍ離れた場所で、空気イオンカウンター（ダン科学製空気イオンカウンター（型番８３−１００１Ｂ））を用いて測定した。その結果、イオン発生装置１７０を隔壁１２６のケーシング１１０の背面１１３寄りに設けた場合には、正負イオン濃度はそれぞれ２万個／ｃｃ程度から３万個／ｃｃであったのに対し、イオン発生装置１７０を隔壁１２６のベースパネル１１５寄りに設けた場合には、正負イオン濃度はそれぞれ１３万個／ｃｃ程度から１５万個／ｃｃ程度にまで飛躍的に上昇することが確認された。
【００５８】
以上において説明したように、本実施の形態の如くの空気清浄機とすることにより、吹出口から吹き出される空気に効率良くイオンを含ませることが可能になり、室内のイオン濃度を高濃度に維持することができるようになる。なお、吹出口１２５から吹出される空気に含まれるイオン濃度をより高濃度に維持するためには、隔壁１２６に設けられたカバー１２８を取り外し、この部分にイオン発生装置１７０をもう一つ取付ける構成とすることも可能である（図１０参照）。
【００５９】
（ルーバの角度）
図１１は、本実施の形態における空気清浄機の吹出口の拡大断面図である。なお、図１１は、本実施の形態における空気清浄機１００が室内の壁面３００に設置された状態を示したものである。
【００６０】
図１１に示すように、本実施の形態における空気清浄機１００は、ケーシング１１０の上面１１２に吹出口１２５を有している。吹出口１２５には、吹出口１２５の開口面と交差するように上下方向に延びるルーバ１１６が設けられている。ルーバ１１６は、吹出口１２５から吹き出された空気が壁面３００から遠ざかる方向に進むように、吹出口１２５の開口面に対して傾斜して配設されている。
【００６１】
このように構成することにより、吹出口１２５から吹き出される空気によって室内に生ずる気流が壁面３００を伝うことがなくなるため、長期間使用したとしても壁面３００に埃が付着しないようになる効果が得られる。すなわち、従来の空気清浄機の如く吹出口１２５から鉛直方向真上に空気が吹き出された場合には、この空気の流れによって壁面３００の表面を伝うように下降気流が発生する。従来においては、この下降気流に含まれる埃が壁面３００に付着することにより、壁面が汚れるという現象が生じていた。しかしながら、本実施の形態の如くルーバ１１６を前方に向けて傾斜させることにより、壁面３００の表面を伝う下降気流の発生が抑制されるようになるため、長期間にわたって空気清浄機を使用したとしても壁面３００に埃が付着することはなくなる。
【００６２】
このように、本実施の形態の如くの空気清浄機とすることにより、長期間使用したとしても吹出口近傍の壁面に埃が付着しない壁掛け式の空気清浄機とすることが可能になる。
【００６３】
なお、上述の実施の形態においては、空気調節装置として空気清浄機を例示して説明を行なったが、本発明は空気清浄機に限定されるものではない。本発明において空気調節装置とは、装置外部から空気を装置内部へと導入し、導入した空気を清浄化する処理を施した上で装置外部へと送出する装置全般を指すものである。たとえば、上述の空気清浄機以外にも、空気調和機、除湿機、加湿器等を含むものである。
【００６４】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００６５】
【図１】本発明の一実施の形態における空気清浄機を前面側から見た概略斜視図である。
【図２】本発明の一実施の形態における空気清浄機を背面側から見た概略斜視図である。
【図３】図１に示す空気清浄機のＩＩＩ−ＩＩＩ線に沿った概略縦断面図である。
【図４】本発明の一実施の形態における空気清浄機のフィルタの構成を示す模式図である。
【図５】本発明の一実施の形態における空気清浄機を室内の壁面に設置した場合を示す模式図である。
【図６】本発明の一実施の形態における空気清浄機を室内の床面に設置した場合を示す模式図である。
【図７】本発明の一実施の形態における空気清浄機に搭載されるイオン発生装置の概略斜視図である。
【図８】図７に示すイオン発生装置のイオン発生素子の概略斜視図である。
【図９】本発明の一実施の形態における空気調節装置の内部構造を示す図であり、ベースパネルを取り外した状態における正面図である。
【図１０】本発明の一実施の形態における空気清浄機において、イオン発生装置が設置される位置を示す図であり、空気清浄機内部を前側から見た部分斜視図である。
【図１１】本発明の一実施の形態における空気清浄機の吹出口の拡大断面図である。
【図１２】従来の空気清浄機を前面側から見た概略斜視図である。
【図１３】図１２に示す従来の空気清浄機のＸＩＩＩ−ＸＩＩＩ線に沿った概略縦断面図である。
【図１４】図１２に示す空気清浄機におおけるイオン発生装置の設置位置を示す図であり、空気清浄機内部を後ろ側から見た部分斜視図である。
【符号の説明】
【００６６】
１００  空気清浄機、１１０  ケーシング、１１１  前面、１１２  上面、１１３  背面、１１４  側面、１１５  ベースパネル、１１６  ルーバ、１１７  突条部、１２１  吸込口、１２２  前方空間、１２３  連通孔、１２４  後方空間、１２５  吹出口、１２５ａ  吹出口の開口面の法線、１２６  隔壁、１２７  切欠き部、１２８  カバー、１３０  前面パネル、１４０  フィルタ組品、１４１  プレフィルタ、１４２  脱臭フィルタ、１４３  集塵フィルタ、１４４  フィルタ保持枠、１５１  シロッコファン、１５１ａ  吸込面、１５１ｂ  外周面、１５２  モータ、１７０  イオン発生装置、１７１  ケース本体、１７２  放電面、１７２ａ  放電面の法線、１７３  第１電極、１７４  第１の誘電体、１７５  第２の誘電体、１７６  イオン発生素子、１８１  操作部、１８２  表示部、１９１  電源コード、１９２  電源プラグ、１９３  スタンド、３００  壁面、４００  床面。
【図１】
2005076906.tif 000004
【図２】
2005076906.tif 000005
【図３】
2005076906.tif 000006
【図４】
2005076906.tif 000007
【図５】
2005076906.tif 000008
【図６】
2005076906.tif 000009
【図７】
2005076906.tif 000010
【図８】
2005076906.tif 000011
【図９】
2005076906.tif 000012
【図１０】
2005076906.tif 000013
【図１１】
2005076906.tif 000014
【図１２】
2005076906.tif 000015
【図１３】
2005076906.tif 000016
【図１４】
2005076906.tif 000017